(57)【要約】【課題】有刃工具の刃部及び無刃工具の発射口が、水平、垂直、傾斜、方位等の所定の作業角度を維持しているか否かを、これら工具によって確認或いは計測することを可能にして作業ミスを防止する。【解決手段】有刃工具の刃部及び無刃工具の発射口、並びにこれら工具の把持部以外の本体部に水準器、指標或いは指標付水準を設け、これら工具の刃部又は発射口の水平、垂直、傾斜、方位等の所定の作業角度を確認或いは計測して、正確な作業を行うことができるようにする。【選択図】図３
2004090103.tif 000002
【特許請求の範囲】
【請求項１】
切断、切削、研削、研磨、穴開け、締め付け等をするための刃部を有する有刃工具において、
この有刃工具の刃部及び把持部以外の本体部に、前記切断、切削、研削、研磨、穴開け、締め付け等の角度の適否を確認することができる水準器を設けたことを特徴とする水準器付有刃工具。
【請求項２】
係止体の打ち込み、発射等をするための、発射口を有する無刃工具において、
この無刃工具の発射口及び把持部以外の本体部に、前記打ち込み、発射等の角度の適否を確認することのできる、水準器を設けたことを特徴とする水準器付無刃工具。
【請求項３】
本体部の上方から、切断、切削、研削、研磨、穴開け、締め付け等、又は打ち込み、発射等の角度の適否を確認することができるように、水準器を設けたことを特徴とする、請求項１に記載の水準器付有刃工具又は請求項２に記載の水準器付無刃工具。
【請求項４】
本体部の側方から、切断、切削、研削、研磨、穴開け、締め付け等、又は打ち込み、発射等の角度の適否を確認することができるように、水準器を設けたことを特徴とする、請求項１に記載の水準器付有刃工具又は請求項２に記載の水準器付無刃工具。
【請求項５】
本体部の後方から、切断、切削、研削、研磨、穴開け、締め付け等、又は打ち込み、発射等の角度の適否を確認することができるように、水準器を設けたことを特徴とする、請求項１に記載の水準器付有刃工具又は請求項２に記載の水準器付無刃工具。
【請求項６】
本体部の上方、本体部の側方、本体部の後方の少なくとも二方から、切断、切削、研削、研磨、穴開け、締め付け等、又は打ち込み、発射等の角度の適否を確認することができるように、二以上の水準器を設けたことを特徴とする、請求項１に記載の水準器付有刃工具又は請求項２に記載の水準器付無刃工具。
【請求項７】
有刃工具の刃部による切断、切削、研削、研磨、穴開け、締め付け等、又は無刃工具の発射口による打ち込み、発射等の角度を計測できる水準器を設けたことを特徴とする、請求項１から請求項６のいずれか一項に記載の水準器付有刃工具又は水準器付無刃工具。
【請求項８】
有刃工具の刃部による切断、切削、研削、研磨、穴開け、締め付け等、又は無刃工具の発射口による打ち込み、発射等の角度の適否を確認し、或いは角度を計測できる水準器を設けた、請求項１から請求項７のいずれか一項に記載の水準器付有刃工具又は水準器付無刃工具の前記水準器の周辺部に、前記刃部又は前記発射口の方位を確認する指標を設けたことを特徴とする水準器付有刃工具又は水準器付無刃工具。
【発明の詳細な説明】
【０００１】
【発明の属する技術分野】
本発明は、切断、切削、研削、研磨、穴開け、締め付け等の作業を行う有刃工具、並びに係止体の打ち込み或いは発射をするための発射口を有する無刃工具の使用に際し、これらの工具を使用する者が、工具を使用して作業を行いながら水平、垂直、傾斜、方位等の所定の作業角度を確認し、或いは計測して正確な作業をすることのできる、有刃工具並びに無刃工具に関する技術である。
【０００２】
【従来技術】
従来の切断、切削、研削、研磨、穴開け、締め付け等の作業を行う有刃工具を使用する際は、有刃工具の使用前に予め、作業箇所の水平、垂直、傾斜、方位等の所定の作業角度の確認或いは計測を行い、この確認箇所或いは計測箇所に墨付け、糸張り等の目印を付けている。
【０００３】
切断に関する一例を挙げると、生け垣又は樹木等の手入れにおいて、所定の形状に切断して刈りそろえるために、予め、切断位置に水平、垂直、傾斜、方位等の所定刈り込み位置に棒を複数本立て、この棒に水平、垂直、傾斜、方位等の所定刈り込み位置に糸を張り、この棒と糸に沿ってヘッジトリマ、バリカン、チェーンソー等の有刃工具を使用している。しかしながら、これらの有刃工具の刃部が少しでも棒又は糸に触れれば、棒又は糸は切れてしまい、再び棒を立てて糸を張らなくてはいけないため、作業効率が悪いという問題が生じていた。
【０００４】
一方、人間の感覚のみで上記有刃工具を水平、垂直、傾斜、方位等の様々な作業角度に維持して、生け垣又は樹木の切断を行うのには、熟練した技術が必要であり、一般使用者が、棒を立てて糸を張ることなく、生け垣又は樹木を所定の形状に切断して刈りそろえるのは、困難であるという問題が生じていた。
【０００５】
その他の切断作業に関しては、有刃工具の刃部を水平、垂直、傾斜、方位等の所定の作業角度で作業対象物に当接させても、切断作業中に刃部が所定の作業角度を維持しているかを確認する手段や方法がない。そのため、切断作業中に有刃工具を所定の作業角度で維持することができず、作業対象物を誤った角度で切断してしまうという問題が生じていた。
【０００６】
切削、研削、研磨作業に関しては、水平、垂直、傾斜等の所定の作業角度を成型する作業の際に、水準器を逐一使って凹部又は凸部を探し、サンダ、グラインダ等を用いて切削、研削、研磨を行い、その後、更に水準器を用いて、所定の角度が確保されているかを確認しているため、作業効率が悪いという問題が生じていた。
【０００７】
穴開け作業及び締め付け作業に関しては、ドリル、ドライバが用いられるが、作業対象物にドリル、ドライバの刃部先端又はネジ若しくはビス等の係止体の先端を水平、垂直、傾斜、方位等の所定の作業角度で当てることが困難であるという問題が生じていた。又、穴開け作業中及び締め付け作業中は、ドリル、ドライバの刃部又は係止体が作業対象物に埋没するため、工具使用者は、穴開け作業又は締め付け作業の作業中に、刃部又は係止体が所定の作業角度を維持しているかを確認する手段や方法がなく、ずれた穴を開けてしまうという問題及び係止体をずれて取付てしまうという問題が生じていた。
【０００８】
無刃工具に関しては、例えば、釘、ネジ等の係止体を、打ち込み又は発射する工具の発射口を、作業対象物に垂直、傾斜、方位等の所定の作業角度に正確に当接していることを確認しなければ、打ち込み又は発射された係止体が斜めに取付られ、作業対象物から係止体の基端が突出し、作業をやり直さなければならないという問題が生じていた。
【０００９】
上記の問題を解決するため、特開２００１−３８６５１号公報において、電動工具への着脱自在なサブハンドルに水準器を設け、このサブハンドルを電動工具に取付ることにより、正確な作業を確保するという発明が見受けられる。しかしながら、この発明は、サブハンドルを有しない片手持ち用工具には実施できない。
【００１０】
仮に、両手持ち用工具であっても工具の様式、サイズ等の不適合からサブハンドルを取付ることができず、この発明を実施できない場合があるという問題が生じていた。
【００１１】
そして、この発明を実施するには、工具使用者が、サブハンドル取付補助具を用いて、自らサブハンドルを正確に工具本体に取付なければいならないため、取付作業が面倒である。
【００１２】
又、サブハンドルという把持部に水準器が設けられていることから、工具使用者の工具の持ち方の癖により水準器が邪魔になり、工具の使用勝手が悪くなるという問題や、水準器を把持部が設けられた限られた位置方向からのみしか視認することができないという問題が生じていた。
【００１３】
更に、この発明のサブハンドルは着脱自在であるがゆえに、これを正確に工具に取付ても、工具使用時の衝撃や振動によってサブハンドルの取付位置がずれるため、再度サブハンドルを正確に取付なければならず、作業効率の悪化を招くという問題や、特に、サブハンドルの取付位置がずれていることに工具使用者が気付かなかった場合は、狂った水準器による誤った作業を行うという問題が生じていた。
【００１４】
【発明が解決しようとする課題】
本発明は、上述した従来技術の問題を解決するために成されたものであり、有刃工具の刃部及び把持部以外の本体部、並びに、無刃工具の発射口及び把持部以外の本体部に、水準器を設けることにより、工具使用者が、本体部に設けられた水準器を視認して水平、垂直、傾斜等の所定の作業角度を、工具を使用して作業を行いながら確認し或いは計測することを可能にすることである。
【００１５】
そして、水準器のみならず、水準器の周辺に方位を表す指標を設け、この指標によって、工具使用者が、有刃工具の刃部並びに無刃工具の発射口の方位を確認することを可能にすることである。
【００１６】
これにより、あらゆる工具、あらゆる工具使用者、あらゆる工具使用状況において、各種工作作業を容易にすると共に作業の簡素化を図り、更に、作業の正確性を向上させることが本発明の課題である。
【００１７】
【課題を解決するための手段】
上述した課題を解決するために、鋭意研究を重ねて完成した。本発明は以下の手段を特徴としている。
【００１８】
請求項１に記載の発明は、切断、切削、研削、研磨、穴開け、締め付け等をするための刃部を有する有刃工具において、この有刃工具の刃部及び把持部以外の本体部に、前記切断、切削、研削、研磨、穴開け、締め付け等の角度の適否を確認することができる水準器を設けたことを特徴とした。
【００１９】
請求項２に記載の発明は、係止体の打ち込み、発射等をするための、発射口を有する無刃工具において、この無刃工具の発射口及び把持部以外の本体部に、前記打ち込み、発射等の角度の適否を確認することのできる、水準器を設けたことを特徴とした。
【００２０】
請求項３に記載の発明は、本体部の上方から、切断、切削、研削、研磨、穴開け、締め付け等、又は打ち込み、発射等の角度の適否を確認することができるように、水準器を設けたことを特徴とする、請求項１に記載の水準器付有刃工具又は請求項２に記載の水準器付無刃工具を特徴とした。
【００２１】
請求項４に記載の発明は、本体部の側方から、切断、切削、研削、研磨、穴開け、締め付け等、又は打ち込み、発射等の角度の適否を確認することができるように、水準器を設けたことを特徴とする、請求項１に記載の水準器付有刃工具又は請求項２に記載の水準器付無刃工具を特徴とした。
【００２２】
請求項５に記載の発明は、本体部の後方から、切断、切削、研削、研磨、穴開け、締め付け等、又は打ち込み、発射等の角度の適否を確認することができるように、水準器を設けたことを特徴とする、請求項１に記載の水準器付有刃工具又は請求項２に記載の水準器付無刃工具を特徴とした。
【００２３】
請求項６に記載の発明は、本体部の上方、本体部の側方、本体部の後方の少なくとも二方から、切断、切削、研削、研磨、穴開け、締め付け等、又は打ち込み、発射等の角度の適否を確認することができるように、二以上の水準器を設けたことを特徴とする、請求項１に記載の水準器付有刃工具又は請求項２に記載の水準器付無刃工具を特徴とした。
【００２４】
請求項７に記載の発明は、有刃工具の刃部による切断、切削、研削、研磨、穴開け、締め付け等、又は無刃工具の発射口による打ち込み、発射等の角度を計測できる水準器を設けたことを特徴とする、請求項１から請求項６のいずれか一項に記載の水準器付有刃工具又は水準器付無刃工具を特徴とした。
【００２５】
請求項８に記載の発明は、有刃工具の刃部による切断、切削、研削、研磨、穴開け、締め付け等、又は無刃工具の発射口による打ち込み、発射等の角度の適否を確認し、或いは角度を計測できる水準器を設けた、請求項１から請求項７のいずれか一項に記載の水準器付有刃工具又は水準器付無刃工具の前記水準器の周辺部に、前記刃部又は前記発射口の方位を確認する指標を設けたことを特徴とした。
【００２６】
【発明の実施の形態】
本発明に関する第一実施の形態は、切断、切削、研削、研磨、穴開け、締め付け等の作業を行う有刃工具の刃部及び把持部以外の本体部に、並びに係止体の打ち込み或いは発射をするための、発射口を有する無刃工具の発射口及び把持部以外の本体部に、切断等並びに打ち込み等の角度の適否を確認し或いは計測するための水準器を設けたものである。
【００２７】
本発明に関する第二実施の形態は、上記の本体部に水準器を設けた有刃工具の水準器周辺部に、並びに上記の本体部に水準器を設けた無刃工具の水準器周辺部に、有刃工具の刃部並びに無刃工具の発射口の方位を確認する指標を設けたものである。
【００２８】
本発明の第一実施の形態について説明する。有刃工具の切断作業を行うものは、例えばカッター、チェーンソー、バリカン、ヘッジトリマ等が上げられる。切削、研削、研磨作業を行うものは、例えば、サンダ、グラインダ等が上げられる。穴開け作業、締め付け作業を行うものは、例えばドリル、ドライバ等が上げられる。そして、これら有刃工具の刃部とは、作業対象物に当接して、作業対象物を加工する箇所である。
【００２９】
無刃工具とは、釘、ネジ等の係止体を打ち込み或いは発射する工具で、釘打ち機等が上げられる。そして、無刃工具の発射口とは、作業対象物に向けて或いは作業対象物に当接させて、係止体を案内して発射する箇所である。
【００３０】
把持部とは、上記有刃工具又は上記無刃工具を使用して、切断等又は打ち込み等の加工作業を行う際に、これら工具を手で握って保持し、そして、これら工具を操作するための工具の一部をいう。
【００３１】
本体部とは、上記有刃工具に刃部及び把持部を取付、又は上記無刃工具に発射口及び把持部を取付るための本体で、電気動力機、空気動力機、人力動力機、内燃機等の動力機関及び動力伝達機関等が収められている部分である。
【００３２】
水準器は、丸形水準器、円形水準器、円筒形水準器、棒状水準器、樽形水準器等で角度を目安線、数値で記載し或いは表示する水準器で、水平、垂直、傾斜等の所定の作業角度を確認し或いは計測するものである。尚、この水準器は、液体と気泡を利用した水準器はもちろんのこと、電子式その他の水準器であってもよい。又、形状についても上記の形状以外の水準器であってもよく、水準器の角度表示方法については棒線、円形線、矢印等の目安線、或いは数値等の如何なる表示方法であってもよい。
【００３３】
水準器は、上記有刃工具の刃部並びに上記無刃工具の発射口以外の本体部で、これら工具の把持部以外の本体部に設けられ、有刃工具の刃部並びに無刃工具の発射口による、切断等並びに打ち込み角度を確認し或いは計測するために用いられる。
【００３４】
水準器で水平、垂直、傾斜等の所定の作業角度を確認するとは、例えば、液体と気泡を利用し目安線のみ記載された水準器を、上記有刃工具の本体部又は上記無刃工具の本体部に設けて、刃部又は発射口が工具使用者の意図する所定の作業角度を維持しているか否かを、水準器の目安線に気泡が位置しているか否かによって確認することをいう。
【００３５】
水準器で水平、垂直、傾斜等の所定の作業角度を計測するとは、例えば、角度を数値で記載し或いは表示する水準器を、上記有刃工具の本体部又は上記無刃工具の本体部に設けて、別途、水準器で所定の作業角度を計測することなく、工具使用者がこれら工具で所定の作業角度を計測することをいう。
【００３６】
水準器を設ける位置については、水準器を上記有刃工具の刃部に設けることは、刃部が工具使用時に回転、往復等の運動を行い、刃部は、作業対象物に当接して加工する箇所であるため不可能である。
【００３７】
水準器を上記無刃工具の発射口又は発射口周辺に設けることも、発射口は係止体を案内して発射し、常に反動や振動等にさらされていること、及び、発射される係止体は端部が鋭利であること、並びに、発射口は作業対象物に当接して使用することから、水準器の精度の低下を招き、更には水準器を破損することも考えられるため好ましくない。
【００３８】
水準器を把持部に設けることも、把持部の形状が、上記有刃工具並びに上記無刃工具の種類、用途、重量、運動方向、動力方法、左右の利き手が異なる工具使用者に対応するため等の様々な理由から、変化し或いは異なるため好ましくない。
【００３９】
更に詳しくは、把持部が一箇所しかない場合、或いは把持部が小型な場合は、把持部に水準器を設ける場所を確保することが困難である。仮に、把持部に水準器を設けたとしても、工具使用者は自らの手で水準器を隠してしまい、水準器を視認することができないという問題がある。又、把持部に水準器を設けることにより、工具使用者の工具の持ち方の癖により水準器が邪魔になるという問題もある。更に、把持部に水準器を設けると、把持部が設けられた限られた位置方向からのみしか、水準器を視認することができないという問題もある。
【００４０】
本発明は、上記の問題を解決するために、上記有刃工具の刃部又は上記無刃工具の発射口、並びにこれら工具の把持部以外の本体部に水準器を設け、特に、この水準器を、本体部の上方、本体部の側方、又は、本体部の後方のいずれか一方側から、或いは、本体部の上方、本体部の側方、及び本体部の後方の少なくとも二方側から一度に確認し或いは計測することができるように設ける。
【００４１】
つまり水準器を、例えば本体部の上面、本体部の左側面、本体部の右側面、又は本体部の後面のいずれか一箇所のみ、或いは、本体部の上面及び本体部の左右どちらかの側面の二箇所、本体部の上面及び後面の二箇所、本体部の左右いずれかの側面及び本体部の後面の二箇所、又は本体部の左右側面の二箇所等、或いは、本体部の上面及び本体部の左右両側面の三箇所、又は本体部の左右両側面及び本体部の後面の三箇所等、或いは、本体部の上面及び本体部の左右両側面及び本体部の後面の四箇所等、水準器を設ける工具の種類、用途、形状に応じて、或いは、工具使用者の要望に応じて設ける。又、一の面部に一個の水準器のみならず二個以上の水準器を設けてもよい。更に、高所の作業に使用する際、及び工具を反転して使用する際のため、これら工具の本体部の底面に水準器を設けてもよい。これにより、あらゆる工具、あらゆる工具使用者、あらゆる工具使用状況において、水準器を視認することができる。
【００４２】
そして、本体部の上面に配置すべき水準器を、本体部の下方部或いは本体部の左右側方に、支持柱等により延伸させて、水準器を本体部の上方から確認し或いは計測するものとしてもよい。又、本体の左側面、本体部の右側面、本体部の後面に配置して確認し或いは計測する水準器についても同様である。
【００４３】
この水準器により、工具使用者は、上記有刃工具の刃部又は上記無刃工具の発射口が、作業対象物に対して水平、垂直、傾斜等の所定の作業角度を維持しているか否かを確認し或いは計測して、正確な作業を行うことができる。
【００４４】
次に、本発明の第二実施の形態について説明する。指標は、第一実施の形態の、水準器付有刃工具並びに水準器付無刃工具の水準器の周辺部分に設けられる。
【００４５】
指標は、上記有刃工具並びに上記無刃工具の本体部に凹凸を設けることにより、或いは本体部にインク等で描かれた放射状の線として表示される。又、指標は、放射状の線のみならず、この線の周辺に方位を表す数値或いは記号をも含むものである。
【００４６】
この指標は、以下ように形成されて使用される。指標を、上記有刃工具並びに上記無刃工具の本体部の上面に設ける場合は、先ず、中心となる指標線（以下「中心指標線」という。）を、上記有刃工具並びに無刃工具の上面から視認した際の、上記有刃工具の刃部並びに上記無刃工具の発射口の延長された軸線と立体的に重なる位置に設ける。そして、この中心指標線の両側に、中心指標線の一端から放射状に所定の角度毎に放射する指標線を複数本設ける。
【００４７】
これにより工具使用者は、どの指標線の延長線上に作業箇所が位置するかを目視で確認することにより、上記有刃工具並びに上記無刃工具の上方から、上記有刃工具の刃部並びに上記無刃工具の発射口の方位を確認することができる。
【００４８】
指標を、上記有刃工具並びに上記無刃工具の本体部の側面に設ける場合は、中心指標線を、上記有刃工具並びに無刃工具の側面から視認した際に、上記有刃工具の刃部並びに上記無刃工具の発射口の延長された軸線の前後左右各々立体的に直角を成す位置に設ける。そして、この中心指標線の両側に、中心指標線の一端から放射状に所定の角度毎に放射する指標線を複数本設ける。
【００４９】
これにより工具使用者は、どの指標線の延長線上に作業箇所が位置するかを目視で確認することにより、上記有刃工具並びに上記無刃工具の側方から、上記有刃工具の刃部並びに上記無刃工具の発射口の方位を確認することができる。
【００５０】
指標は、上記有刃工具並びに上記無刃工具の、本体部に設けられた水準器の周辺に独立して設けられるもの、或いは、上記有刃工具並びに無刃工具の本体部に水準器と指標が一体となって設けられるもののどちらであってもよい。
【００５１】
本発明は、上記有刃工具の刃部又は上記無刃工具の発射口、並びにこれら工具の把持部以外の本体部に指標を設け、この指標を、本体部の上方、本体部の側方の少なくとも二方側から確認することができるように設ける。
【００５２】
つまり指標を、例えば本体部の上面、本体部の左側面、本体部の右側面のいずれか一箇所のみ、或いは、本体部の上面及び本体部の左右どちらかの側面の二箇所、本体部の左右両側面の二箇所、或いは、本体部の上面及び本体部の左右両側面の三箇所等、指標を設ける工具の種類、用途、形状に応じて、或いは、工具使用者の要望に応じて設ける。又、一の面部に一の指標のみならず二以上の指標を設けてもよい。更に、高所の作業に使用する際、及び工具を反転して使用する際のため、これら工具の本体部の底面に指標を設けてもよい。これにより、あらゆる工具、あらゆる工具使用者、あらゆる工具使用状況において、指標を視認することができる。
【００５３】
この指標により工具使用者は、刃部並びに発射口が作業対象物に対してどの方位に向いているか、本体部の上方、本体部の側方から確認することができ、正確な作業を行うことができる。
【００５４】
本発明の第一実施の形態に記載した水準器、及び、第二実施の形態に記載した指標の双方を、上記有刃工具並びに上記無刃工具に実施すれば、工具使用者は、これら工具の刃部或いは発射口の水平、垂直、傾斜等の所定作業角度を確認或いは計測することが可能であり、更に、これら工具の刃部或いは発射口の方位をも確認することが可能となる。従って、本発明は、各種工作作業を簡素及び容易にすると共に、作業の正確性も向上することができる。
【００５５】
【実施例】
本発明の実施例を添付図面を用いて説明する。図１は、本発明の水準器付工具の第一実施例である、水準器付ヘッジトリマ１００を示す斜視図である。このヘッジトリマ１００は、大きな生け垣や樹木の切断及び刈り込みに適している。
【００５６】
このヘッジトリマ１００の本体部５０最前方には、刃部３０が設けられ、本体部５０の前方と後方の二箇所に把持部４０、４０が設けられている。このヘッジトリマ１００の本体部５０の上面には、丸形水準器１０が設けられている。この本体部５０の上面に設けられた丸形水準器１０は、刃部３０の平面と平行状態で、且つ、刃部３０の平面を水平に保った際に、丸形水準器１０の十字目安線の交差する中心を示す基点Ｘに気泡が位置する様に配置されている。そして、このヘッジトリマ１００の本体部５０の右側面には、円筒形水準器２０が設けられている。この本体部５０の右側面に設けられた円筒形水準器２０は、刃部３０の長手方向軸線Ｌ及び幅方向軸線Ｓと直角であり、且つ刃部３０の幅方向Ｓを垂直にした際、円筒形水準器２０の中心を示す目安線Ｙに気泡が位置するように配置されている。
【００５７】
本体部５０の上面に設けられた丸形水準器１０は、十字目安線と、この十字目安線の基点Ｘからの傾斜角度を表示する目安線が設けられ、断面は略半球形状である。そして、本体部５０の右側面に設けられた円筒形水準器２０は、中心を示す目安線Ｙと、この中心を示す目安線Ｙからの傾斜角度を表示する目安線が設けられ、断面は、中心を示す目安線Ｙを頂点として円弧状にやや湾曲している。
【００５８】
このヘッジトリマ１００を使用して、生け垣の上面を水平且つ均一に刈りそろえる場合は、ヘッジトリマ１００の丸形水準器１０を上面にし、刃部３０の平面を水平方向にして構える。そして、丸形水準器１０を確認して刃部３０を水平にし、この状態を保って、ヘッジトリマ１００を前後左右へ移動させて刈り込み作業を行う。仮に、刃部３０が刈り込み作業中に、前後左右の如何なる方向に傾斜しても、工具使用者は、丸形水準器１０を確認すれば刃部３０の傾斜方向が分かるため、刃部３０を水平に修正することが可能である。従って、生け垣の上面を水平且つ均一に刈りそろえることができる。
【００５９】
このヘッジトリマ１００を使用して、生け垣の側面を垂直且つ均一に刈りそろえる場合は、ヘッジトリマ１００の本体部５０の右側面に設けられた円筒形水準器２０を上面にし、刃部３０の平面を垂直方向にして構える。そして、円筒形水準器２０を確認して刃部３０を垂直にし、この状態を保って、刃部３０の先端部分を上下方向へ移動させて刈り込み作業を行う。仮に、刃部３０が左右へ傾斜して垂直方向でなくなっても、工具使用者は、円筒形水準器２０を確認すれば、刃部３０を垂直に修正することが可能である。従って、生け垣の側面を正確に刈りそろえることができる。
【００６０】
本体部５０の右側面に設けられた水準器は円筒形であるため、刃部３０の幅方向Ｓを垂直にした際の、刃部３０の左右への傾斜角度のみを的確に表示する。即ち、本体部５０の右側面に円筒形水準器２０を用いたことにより、刃部３０の幅方向Ｓを垂直にし、刃部３０を上下或いは前後に動かしても、円筒形水準器の２０の気泡はみだりに動くことはない。従って、工具使用者は、刃部３０の左右への傾斜角度を的確に確認或いは計測することができる。
【００６１】
このヘッジトリマ１００を使用して、生け垣の上面を水平且つ均一に刈りそろえる場合、或いは生け垣の側面を垂直且つ均一に刈りそろえる場合に、刃部３０への枝等の入りが悪く切断しにくいため、工具使用者が意図的に刃部３０を傾けたとしても、本体部５０の上面に設けられた丸形水準器１０、並びに本体部５０の右側面に設けられた円筒水準器２０を確認して、刃部３０を一定の傾斜角度に維持することができる。従って、上記の様な悪条件の下においても、生け垣を正確に刈りそろえることができる。
【００６２】
このヘッジトリマ１００は、本体部５０に水準器機１０、２０が設けられていることから、工具使用者は、ヘッジトリマ１００の使用状況に応じて、把持部の様々な箇所を持つことができる。
【００６３】
特に、このヘッジトリマ１００は、本体部５０の二箇所に水準器１０、２０を設けたことにより、目印となる棒及び糸を張ることなく、水準器１０、２０を利用して容易に水平、垂直、傾斜等の所定の作業角度に、生け垣又は樹木を正確に切断して刈りそろえることができる。
【００６４】
又、このヘッジトリマ１００は、作業中に本体部５０の二箇所に設けられた水準器１０、２０を目視して、刃部３０の傾斜角度を確認し或いは計測することができるため、刈りすぎ等による切断ミスを防止することができる。
【００６５】
更に、このヘッジトリマ１００は、切断して刈りそろえた作業後には、本体部５０の二箇所に設けられた水準器１０、２０により、刃部３０を生け垣又は樹木に当て、所定の作業角度に刈ることができたか否か仕上がりの確認をすることもできる。
【００６６】
このヘッジトリマ１００は、水平、垂直、傾斜等の所定の作業角度を確認し或いは計測するのに水準器を用いているため、作業の正確性も確保されている。
【００６７】
尚、第一実施例のヘッジトリマ１００には、本体部５０の上面に丸形水準器１０を設け、本体部５０の右側面に円筒形水準器２０を設けているが、これに限定されるものではなく、丸形水準器、円形水準器、円筒形水準器、棒状水準器、樽形水準器、角度を表示する数値が記載された水準器等の、如何なる水準器を、本体部の上面、本体部の左右両側面、本体部の後面、又は本体部の底面の如何なる箇所に何個用いてもよい。
【００６８】
図２は、本発明の水準器付工具の第二実施例である、水準器付バリカン２００を示す斜視図である。このバリカン２００は、生け垣、樹木、芝の細部の切断及び刈り込み、小型の樹木の切断及び刈り込み、これらの仕上げに適している片手持ち工具である。
【００６９】
このバリカン２００の本体部５０最前方には、短い刃部３０が設けられ、本体部５０の後方の一箇所のみに把持部４０が設けられている。このバリカン２００の本体部５０の上面には、丸形水準器１０が設けられている。この本体部５０の上面に設けられた丸形水準器１０は、刃部３０の平面と平行状態で、且つ、刃部３０の平面を水平にした際に、丸形水準器１０の十字目安線の交差する中心を示す基点Ｘに気泡が位置する様に配置されている。そして、このバリカン２００の本体部５０の左側面には、丸形水準器１０が設けられている。この本体部５０の左側面に設けられた丸形水準器１０は、丸形水準器１０の設けられた、本体部５０の左側面を上面にして刃部３０を垂直にした際に、刃部３０が垂直且つ上下方向へ傾斜していない状態で、丸形水準器１０の十字目安線の交差する中心を示す基点Ｘに気泡が位置するように配置されている。
【００７０】
本体部５０の上面及び本体部５０の左側面に設けられた丸形水準器１０、１０は、十字目安線と、この十字目安線の基点Ｘからの傾斜角度を表示する目安線が設けられ、断面は略半球形状である。
【００７１】
このバリカン２００を、本体部５０の上面に設けられた丸形水準器１０を上面にして構えた場合は、水平方向を基点として刃部３０が、前後左右のどの方向に傾斜しているか、工具使用者はすぐに確認することができる。
【００７２】
このバリカン２００を、本体部５０の左側面に設けられた丸形水準器１０を上面にして構えた場合は、垂直方向を基点として刃部３０が、前後左右どの方向に傾斜しているか、工具使用者はすぐに確認することができる。
【００７３】
そのため、このバリカン２００を実施すれば、二つの丸形水準器１０，１０により水平、垂直、傾斜等の所定の作業角度に、生け垣、樹木、芝の細部の切断及び刈り込み、小型の樹木の切断及び刈り込み、これらの仕上げを正確に行うことができる。
【００７４】
特に、一般的にバリカンは、刃部が短いために刃部が工具使用者の意図しない方向に傾斜した場合、工具使用者が目視による感覚で刃部の傾斜を修正して所定の作業角度への切断、又は刈り込みを行うのは困難である。
【００７５】
しかしながら、このバリカン２００においては、刃部３０が工具使用者の意図しない方向に傾斜しても工具使用者は、作業中に二箇所の丸形水準器１０、１０を目視すれば、刃部３０の傾斜角度を確認し或いは計測して、すぐに修正することができるため、一部分を刈りすぎる等の切断ミスを防止することができる。
【００７６】
尚、第二実施例のバリカン２００には、本体部５０の上面及び左側面に丸形水準器１０、１０を設けているが、これに限定されるものではなく、丸形水準器、円形水準器、円筒形水準器、棒状水準器、樽形水準器、角度を表示する数値が記載された水準器等の、如何なる水準器を、本体部の上面、本体部の左右両側面、本体部の底面、又は本体部の後面の如何なる箇所に何個用いてもよい。
【００７７】
図３は、本発明の水準器付工具の第三実施例である、水準器付ヘッジトリマ３００を示す斜視図である。このヘッジトリマ３００は、大きな生け垣や樹木の切断及び刈り込みに適している。
【００７８】
ヘッジトリマ３００の本体部５０の最前方には、刃部３０が設けられ、本体部５０の前方と後方の二箇所に把持部４０、４０が設けられている。そして、このヘッジトリマ３００の本体部５０上面には、指標付丸形水準器１１が設けられ、本体部５０の右側面には、指標付円筒形水準器２１が設けられている。
【００７９】
ヘッジトリマ３００の本体部５０の上面に設けられた指標付丸形水準器１１は、図４が示すように、丸形水準器と指標が一体に成型されている。
【００８０】
指標には、中心となる指標線Ｐが設けられている。この指標線Ｐの両側には、指標線Ｐの先端から後端方向に向かって、所定の角度毎に放射する複数本の指標線Ｑが、指標線Ｐと直角となる位置の指標線Ｑ’まで設けられている。これら指標線Ｑの周辺には、指標線Ｐと直角である指標線Ｑ’を基点として、指標線Ｑの放射角度を示す数値が記載されている。そして、指標付丸形水準器１１の丸形水準器は、丸形水準器の中心を示す十字目安線の一本と指標線Ｐが重なり、他方の十字目安線は、指標線Ｐと直角である指標線Ｑ’と平行になるように配置されて指標と一体化されている。
【００８１】
丸形水準器には、十字目安線の交差する中心を示す基点Ｘから、傾斜角度を表示する目安線及び数値が記載されている。そして、丸形水準器は断面略半球形状である。
【００８２】
図３の示すように指標付丸形水準器１１は、ヘッジトリマ３００の本体部５０の上面に、刃部３０の平面と平行状態で設けられ、且つ指標付丸形水準器１１の指標線Ｐは、刃部３０の長手方向軸線Ｌの延長と立体的に平行に重なる。そして、指標線Ｐと直角となる指標線Ｑ’は、刃部３０の長手方向軸線Ｌの延長と立体的に直角となる様に配置されている。
【００８３】
ヘッジトリマ３００の本体部５０の右側面に設けられる指標付円筒形水準器２１は、図５が示すように、円筒状水準器と指標が一体に成型されている。
【００８４】
指標には、中心となる指標線Ｐが設けられている。この指標線Ｐの両側には、指標線Ｐの基端から先端方向に向かって、所定の角度毎に放射する複数本の指標線Ｑが、指標線Ｐと直角となる位置の指標線Ｑ’まで設けられている。これら指標線Ｑの周辺には、指標線Ｐと直角である指標線Ｑ’を基点として、指標線Ｑの放射角度を示す数値が記載されている。そして、指標付円筒形水準器２１の円筒形水準器には、指標線Ｐと直角の指標線Ｑ’と平行である中心を示す目安線Ｙが記載され、これを基点として、傾斜角度を表示する目安線及び数値が記載されている。
【００８５】
指標付円筒形水準器２１の円筒形水準器は、円筒形水準器の中心を示す目安線Ｙと、指標線Ｐに直角である指標線Ｑ’とは平行で、且つ円筒形水準器は、指標線Ｐの線上に設けられ、指標と一体化されている。円筒形水準器は、中心となる目安線Ｙを頂点として、断面円弧状にやや湾曲している。
【００８６】
図３の示すように指標付円筒形水準器２１は、ヘッジトリマ３００の本体部５０の右側面に、刃部３０と直角になるように設けられている。即ち、指標付円筒形水準器２１の指標線Ｐと円筒形水準器は、刃部３０の長手方向軸線Ｌ及び幅方向軸線Ｓの延長と立体的に直角であり、更に指標線Ｐと直角である指標線Ｑ’が、刃部３０の長手方向軸線Ｌの延長と立体的に平行に重なる様に配置されている。
【００８７】
このヘッジトリマ３００を使用して、生け垣の上面を水平且つ均一に刈りそろえる場合は、本体部５０の上面に設けられた指標付丸形水準器１１を上面にし、丸形水準器を確認して刃部３０を水平にする。刈り込み範囲の設定等の必要な場合は、指標を確認して刃部３０の方位を定める。そして、刃部３０の先端を左右に振りながら刈り込み作業を行う。
【００８８】
工具使用者は、丸形水準器により刃部３０の水平を維持することができ、更に指標のいずれかの指標線Ｐ、Ｑ、Ｑ’の延長線上に作業箇所を位置せしめて、これらを目視で同軸線上に合わせることにより、刃部３０の方位を決定又は確認することができる。仮に、刈り込み作業中に刃部３０が前後左右の如何なる方向に傾斜しても、工具使用者は、丸形水準器を確認すれば刃部３０の傾斜方向が分かるため、刃部３０を水平に修正することができる。
【００８９】
このヘッジトリマ３００を使用して、生け垣の上面を所定の傾斜角度で刈りそろえる場合は、本体部５０の上面に設けられた指標付丸形水準器１１を上面にし、丸形水準器の傾斜角度を表示する目安線及び数値と気泡との位置関係から、刃部３０の傾斜角度を確認或いは計測する。そして、刃部３０所定の傾斜角度を維持して、刃部３０の先端を左右に振って刈り込み作業を行う。本体部５０に設けられた水準器は丸形であるため、刃部３０の前後左右あらゆる方向への傾斜角度を確認或いは計測して、刈り込み作業を行うことができる。
【００９０】
上述した刈り込み作業は、刃部３０の先端を左右に振って行うが、このヘッジトリマ３００の本体部５０の上面に指標が設けられていることから、作業に応じて指標線Ｐ或いは指標線Ｑ又は指標線Ｑ’と作業箇所を目視で同軸線上に合わせれば、水準器のみでは確認することのできない、刃部３０の方位を確認することができる。従って、刃部３０を左右へ振りすぎることによる刈りすぎを防止することができる。
【００９１】
このヘッジトリマ３００を使用して、生け垣の側面を垂直且つ均一に刈りそろえる場合は、本体部５０の右側面に設けられた指標付円筒形水準器２１を上面にし、円筒形水準器を確認して刃部３０を垂直にする。刈り込み範囲の設定等の必要な場合は、指標を確認して刃部３０の方位を定める。そして、刃部３０を上下或いは前後に動かして刈り込み作業を行う。
【００９２】
工具使用者は、円筒形水準器により刃部３０の垂直を維持することができ、更に指標のいずれかの指標線Ｐ、Ｑ、Ｑ’の延長線上に作業箇所を位置せしめて、これらを目視で同軸線上に合わせることにより、刃部３０の方位を決定又は確認することができる。仮に、刈り込み作業中に刃部３０が左右へ傾斜しても、工具使用者は、円筒形水準器を確認すれば、刃部３０の傾斜方向が分かるため、刃部３０を垂直に修正することができる。
【００９３】
このヘッジトリマ３００を使用して、生け垣の側面を所定の傾斜角度で刈りそろえる場合は、本体部５０の右側面に設けられた指標付円筒形水準器２１を上面にし、円筒形水準器の傾斜角度を表示する目安線及び数値と気泡との位置関係から、刃部３０の傾斜角度を確認或いは計測する。そして、刃部３０所定の傾斜角度を維持して刈り込み作業を行う。
【００９４】
本体部５０の右側面に設けられた水準器は円筒形であるため、刃部３０の幅方向Ｓを垂直にした際の、刃部３０の左右への傾斜角度のみを的確に表示する。即ち、本体部５０の右側面に円筒形水準器を用いたことにより、刃部３０の幅方向Ｓを垂直にし、刃部３０を上下或いは前後に動かしても、円筒形水準器の気泡はみだりに動くことがない。従って、工具使用者は、刃部３０の左右への傾斜角度を的確に確認或いは計測することができる。
【００９５】
このヘッジトリマ３００の本体部５０の右側面には、指標が設けられていることから、作業に応じて指標線Ｐ或いは指標線Ｑ又は指標線Ｑ’と作業箇所を目視で同軸線上に合わせれば、水準器のみでは確認することのできない、刃部３０の方位を確認することができるため、刃部３０生け垣への誤った進入を防止し、或いは刃部３０の誤った方位での進入を修正することができる。
【００９６】
更に、上述した様々な使用状況において、刃部３０への枝等の入りが悪く切断しにくいため、工具使用者が意図的に刃部３０を傾けたとしても、本体部５０の上面に設けられた指標付丸形水準器１１、並びに本体部５０の右側面に設けられた指標付円筒水準器２１を確認して、刃部３０を一定の傾斜角度に維持することができるため、上記のような悪条件の下においても、生け垣を正確に刈りそろえることができる。
【００９７】
このヘッジトリマ３００は、第一実施例記載のヘッジトリマ１００と同様に、本体部５０の二箇所に水準器を設けていること、更に、本体部５０に指標を設けたことにより、目印となる棒及び糸を張ることなく、指標付水準器を利用して容易に水平、垂直、傾斜、方位等の所定の作業角度に、生け垣又は樹木を正確に切断して刈りそろえることができる。
【００９８】
又、このヘッジトリマ３００は、作業中に本体部５０の二箇所に設けられた指標付水準器を目視して、刃部３０の傾斜角度を確認し或いは計測し、更に、刃部３０の方位を確認することができるため、刈りすぎによる切断ミスを防止することができる。そして、このヘッジトリマ３００も、切断して刈りそろえた作業後には、本体部５０の二箇所に設けられた水準器により、刃部３０を生け垣又は樹木に当て、所定の作業角度に刈ることができたか否か仕上がりの確認をすることもできる。
【００９９】
尚、第三実施例のヘッジトリマ３００には、本体部５０の上面に指標付丸形水準器１１が設けられ、本体部の右側面に指標付円筒形水準器２１が設けられているが、これに限定されるものでなく、本体部の如何なる面部に、如何なる個数の、如何なる指標付水準器若しくは水準器を設けてもよい。
【０１００】
図６は、本発明の水準器付工具の第四実施例である、水準器付ドリル４００を示す斜視図である。このドリル４００は、刃部３０が回転運動をすることによって、作業対象物に穴を開ける工具である。
【０１０１】
ドリル４００の本体部５０の最前方には、刃部３０が設けられ、本体部５０の下方後端に把持部４０が一箇所のみ設けられている。そして、このドリル４００の本体部５０の上面には、指標付丸形水準器１１が設けられ、本体部５０の後面には、丸形水準器１０が設けられている。
【０１０２】
ドリル４００の本体部５０の上面に設けられた、指標付丸形水準器１１の構成は、図４の示す指標付丸形水準器１１と同じである。又、このドリル４００の本体部５０の上面に設けられた指標付丸形水準器の配置についても、第三実施例に記載した、ヘッジトリマ３００の本体部５０の上面に設けられた指標付丸形水準器１１と同様である。
【０１０３】
ドリル４００の本体部５０の後面には、丸形水準器１０が設けられている。丸形水準器１０には、十字目安線の交差する中心を示す基点Ｘから、傾斜角度を表示する目安線が設けられている。そして、この丸形水準器１０の断面は略半球形状である。
【０１０４】
この丸形水準器は１０は、ドリル４００の本体部５０の後面であって、刃部３０の回転方向と平行状態で設けられている。そして、この丸形水準器１０は、本体部５０の最前方に設けられた刃部３０の回転中心軸を、本体部５０の後方に向かって延長した軸線Ｌ’に、丸形水準器１０の十字目安線の交差する中心を示す基点Ｘが位置するように設けられている。
【０１０５】
このドリル４００を使用して、直立する作業対象物に対して直角に穴を開ける場合は、ドリル４００の本体部５０の上面に設けられた、指標付丸形水準器１１を上面にして構えて刃部３０を作業対象物の所定の作業位置に当接させた後に、指標付丸形水準器１１の丸形水準器で刃部３０の上下傾斜角が直角であるか否かを確認或いは計測する。更に、指標付丸形水準器１１の指標線との対比により、刃部３０の左右方位が直角であるか否かを目視により確認し、刃部３０を作動させて穴開け作業を行う。
【０１０６】
工具使用者は、丸形水準器により刃部３０を作業対象物に対して直角を維持することができ、更に、必要に応じて指標のいずれかの指標線Ｐ、Ｑ、Ｑ’の延長線上に作業箇所を位置せしめて、これらを目視で同軸線上に合わせることにより、刃部３０の方位を決定又は確認することができる。
【０１０７】
上記作業中に、刃部３０が上下方向又は上下左右方向同時に傾斜した際、工具使用者は、丸形水準器を確認すれば刃部３０の傾斜方向が分かるため、刃部３０の傾斜を修正することができる。
【０１０８】
上記作業中に、刃部３０が作業対象物に対して直角で当接しながら、刃部３０が左右方向のみに、つまり方位がすれた場合は、このドリル４００の本体部５０の上面には指標が設けられていることから、工具使用者は、必要に応じて指標線Ｐ或いは指標線Ｑ又は指標線Ｑ’と作業箇所を目視で同軸線上に合わせることにより刃部３０の方位を確認し、刃部３０の方位を修正することができる。従って、このドリル４００を実施すれば、作業対象物に正確な穴を開けることができる。
【０１０９】
このドリル４００を使用して、水平である作業対象物に対して直角に穴を開ける場合は、ドリル４００の本体部５０の後面に設けられた丸形水準器１０を上面或いは底面にして構え、作業対象物の所定の位置に刃部３０を当接した後に、丸形水準器１０で刃部３０の前後左右傾斜が直角であるか否かを確認或いは計測する。そして、刃部３０を作動させて穴開け作業を行う。
【０１１０】
上記作業中に刃部３０が如何なる方向に傾斜しても、工具使用者は、本体部５０の後面に設けられた丸形水準器１０を確認すれば、刃部３０の傾斜方向を確認することができるため、刃部３０の傾斜を修正することができる。
【０１１１】
このドリル４００には、指標が設けられているため、作業に応じて指標線Ｐ或いは指標線Ｑ又は指標線Ｑ’と作業箇所とを目視で同軸線上に合わせれば、水準器のみでは確認することのできない、刃部３０の方位を確認することができる。そのため、刃部３０を誤った方位で作業対象物へ当接することを防止し、或いは刃部３０の誤った方位で作業を修正することができる。
【０１１２】
尚、第四実施例はドリルでの穴開け作業を実施例としているが、本実施例はドライバでの係止体の取付作業であっても同様のことがいえる。又、第四実施例のドリル４００には、本体部５０の上面に指標付丸形水準器１１が設けられ、本体部５０の後面に丸形水準器１０が設けられているが、これに限定されるものでなく、本体部の如何なる面部に、如何なる個数の、如何なる指標付水準器若しくは水準器を設けてもよい。
【０１１３】
第三実施例及び第四実施例に記載した指標の指標線については、中心となる指標線Ｐと、この中心となる指標線Ｐに左右直角となる指標線Ｑ’までしか設けていないが、これらの実施例に限定されるものではない。本体部の上面に配置される指標については、少なくとも中心となる指標線Ｐと、これに直角である指標線Ｑ’があればよく、必ず指標線Ｑを設ける必要はない。そして、本体部の左右側面に配置される指標についても、少なくとも中心となる指標線Ｐと、これに直角である指標線Ｑ’があればよく、必ず指標線Ｑを設ける必要はない。又、指標線Ｑ及び指標線Ｑ’は中心となる指標線Ｐの一側方のみであってもよく、必ず中心となる指標線Ｐの両側に指標線Ｑ及び指標線Ｑ’を設ける必要もない。逆に、中心となる指標線Ｐの一端から、指標線Ｑを３６０度全方位に放射状に設けてもよい。つまり、指標線Ｑの本数並びに指標線Ｑの放射角度は、工具に応じて任意に設けられるものである。
【０１１４】
水準器の傾斜測定可能範囲については、実施例及び図面に記載したものに限定されるものではなく、工具の種類又は工具の使用状況等に応じて、様々な傾斜測定可能範囲の水準器を用いればよい。そして、この指標付水準器を設ける工具についても、実施例に記載の工具に限られるものではなく、前述した様々な有刃工具並びに無刃工具に設けられるものである。
【０１１５】
指標と水準器を一体として成型した指標付水準器の指標と水準器の組み合わせについても、実施例及び図面に記載したものに限定されるものではなく、工具の種類又は工具の使用状況、指標付水準器の設けられる場所に応じて、前述したあらゆる形状の水準器を、前述したあらゆる指標と任意に組み合わせて実施されるものである。又、指標と水準器は必ずしも一体である必要はなく、水準器の周辺に指標が設けられていればよい。
【０１１６】
【発明の効果】
請求項１から請求項７に係る本発明の水準器付有刃工具並びに水準器付無刃工具は、把持部が一箇所しか有しない工具、把持部が小型な工具であっても、本体部に水準器を設けたため、工具使用者の工具の持ち方の癖により、水準器が邪魔になるということはない。従って、あらゆる工具使用者、あらゆる工具使用状況において、水平、垂直、傾斜等の所定の作業角度を確認し或いは計測することができる。
【０１１７】
本発明の水準器付有刃工具を用いて、切断等の作業を行えば、有刃工具の本体部に設けられた水準器で、水平、垂直、傾斜等の所定の作業角度を確認し或いは計測しながら切断作業を行うことができる。従って、工具使用者が、有刃工具の刃部が作業対象物に対して所定の作業角度を維持しているか、水準器で確認し或いは計測しながら切断作業することにより、作業対象物をずれた位置で切断するという作業ミスを防止することができる。
【０１１８】
本発明の水準器付有刃工具を用いて、切削、研削、研磨作業等を行えば、この有刃工具本の体部に設けられた水準器で、作業対象物の水平、垂直、傾斜等の所定の作業角度を確認し或いは計測しながら切削等の作業をすることができる。従って、予め水準器で作業対象物の凹部又は凸部を探してから切削等を行い、その後、更に水準器で作業対象物が、所定の作業角度に成型されたか否かの確認作業の繰り返しによる煩雑さを解消するため作業効率が向上する。更に、作業の最中に所定の角度を確認し或いは計測することができることにより、切削等の作業を過剰に行う作業ミスも防止することができる。
【０１１９】
本発明の水準器付有刃工具を用いて、穴開け作業又は締め付け作業等を行えば、この有刃工具の本体部に設けられた水準器で、刃部先端と作業対象物、或いは刃部と刃部先端に位置するネジ、ビス等の係止体が作業対象物に水平、垂直、傾斜等の所定の作業角度で当接しているか否かを、作業前に確認し或いは計測することができるため、作業ミスを防止することができる。更に、穴開け作業中又は締め付け作業中に、刃部或いは係止体が作業対象物に埋没しても、水準器を目視すれば、刃部又は係止体が作業対象物に所定の作業角度を維持しているか確認し或いは計測することができる。従って、ずれた穴を開けること、又は係止体をずれて取付るという作業ミスを防止することができる。
【０１２０】
本発明の水準器付無刃工具を用いて、釘、ネジ等の係止体を打ち込み又は発射をする作業を行えば、本体部に設けられた水準器で、発射口が作業対象物に水平、垂直、傾斜等の所定の作業角度に向いているか或いは当接しているか否かを、作業前に確認し或いは計測することができる。従って、係止体をずれて取付てしまうという作業ミスを防止することができる。
【０１２１】
請求項８に係る本発明の水準器付有刃工具並びに水準器付無刃工具は、把持部が一箇所しか有しない工具、把持部が小型な工具であっても、本体部に指標付水準器を設けたため、工具使用者の工具の持ち方の癖により、指標付水準器が邪魔になるということはない。従って、あらゆる工具使用者、あらゆる工具使用状況において、水平、垂直、傾斜、方位等の所定の作業角度を確認し或いは計測することができる。
【０１２２】
請求項８に係る本発明の水準器付有刃工具並びに水準器付無刃工具は、指標付水準器を設けている。そのため、水準器のみでは確認することができない有刃工具の刃部並びに無刃工具の発射口の方位を確認することができる。従って、指標付水準器が設けられた有刃工具並びに無刃工具は、作業前或いは作業中に、これら工具の刃部並びに発射口の方位を確認すると共に、指標付水準器の水準器により水平、垂直、傾斜等の所定の作業角度を確認或いは計測することができるため、作業ミスを防止し、より正確な作業を行うことができる。
【図面の簡単な説明】
【図１】本発明の水準器付工具の第一実施例である、水準器付ヘッジトリマ１００を示す斜視図である。
【図２】本発明の水準器付工具の第二実施例である、水準器付バリカン２００を示す斜視図である。
【図３】本発明の水準器付工具の第三実施例である、水準器付ヘッジトリマ３００を示す斜視図である。
【図４】指標付丸形水準器１１の拡大図である。
【図５】指標付円筒形水準器２１の拡大図である。
【図６】本発明の水準器付工具の第四実施例である、水準器付ドリル４００を示す斜視図である。
【符号の説明】
１０　　丸形水準器
１１　　指標付丸形水準器
２０　　円筒状水準器
２１　　指標付円筒状水準器
３０　　刃部
４０　　把持部
５０　　本体部
１００　水準器付ヘッジトリマ
２００　水準器付バリカン
３００　水準器付ヘッジトリマ
４００　水準器付ドリル
Ｌ　　　刃部３０の長手方向軸線
Ｌ’　　刃部３０の回転中心軸の延長軸線
Ｐ　　　中心となる指標線
Ｑ　　　指標線
Ｑ’　　指標線Ｐと直角となる位置の指標線
Ｓ　　　刃部３０の幅方向
Ｘ　　　丸形水準器の中心を示す基点
Ｙ　　　円筒形水準器の中心を示す目安線
【図１】
2004090103.tif 000003
【図２】
2004090103.tif 000004
【図３】
2004090103.tif 000005
【図４】
2004090103.tif 000006
【図５】
2004090103.tif 000007
【図６】
2004090103.tif 000008